(57)【要約】【課題】撮影者が直接デジタルカメラの液晶モニタ等により撮像画面を確認できない場合でも間接的に撮像画面を確認することが可能となり、アングルのずれることのない撮影を可能とする装置を利用した撮影方法を提供する。【解決手段】装置は、カメラの液晶モニタ等の撮像画面を反射して映し出すミラーと、そのミラーをそのカメラ等の本体に固定することを可能とする固定部と、必要があればミラーを固定部と接続させるための支持部から構成される撮影システムを用いて撮影を行う。【選択図】図3
2011205698.tif 000002
【特許請求の範囲】
【請求項１】
デジタルカメラと、
前記デジタルカメラの液晶画面の法線および水平方向を軸として回転可能に固定された前記デジタルカメラの撮像画面を確認するためのミラーとを含む撮影システムを用いた撮影方法であって、
前記デジタルカメラと撮影対象との角度を変えるステップと、
前記液晶画面に映った画面を反射させる角度を変更するために、前記デジタルカメラの液晶画面の法線および水平方向を軸として前記ミラーを回転させて固定するステップと、
最適なアングルにおいて前記デジタルカメラで撮影を行うステップとを有する撮影方法。
【発明の詳細な説明】
【技術分野】
【０００１】
本発明は、マルチアングルミラーを用いたデジタルカメラの撮影方法に関する。
【背景技術】
【０００２】
一般のデジタルカメラ等はカメラ本体の背面にファインダーや液晶モニターを持ち撮影者が撮影対象にカメラの撮影する方向軸を合わせ、アングル、画角を設定してから撮影を行っている。そして、近年では液晶モニターを可動式とすることによってさらに撮影に自由度が増してきた。
【発明の開示】
【発明が解決しようとする課題】
【０００３】
しかしながら、小型のデジタルカメラにおいては可動式の液晶モニターを持つものも少なく、撮影者本人が撮影対象となるときなどのように撮影者が液晶モニターの視野角からはなれた場合に、直接液晶モニターを確認することができない。そして撮影前にカメラの位置を固定していたとしても、カメラの撮影する方向は大体の目安しかつかず、実際に撮影された画像を見ると撮影対象がフレームからずれて失敗するといった問題があった。
【課題を解決するための手段】
【０００４】
本件発明において装置は、液晶モニターに映っている像を反射するミラーと、そのミラーをカメラ等の本体に容易に取り付けることを可能とする固定手段と、必要があればミラーと固定部材と接続するための支持手段を有する。
【発明の効果】
【０００５】
本発明によれば、撮影者が直接デジタルカメラの撮像画面を確認できない場合でも間接的に撮像画面を確認することが可能となり、アングルのずれることのない撮影を可能とする装置が提供される。
【発明を実施するための最良の形態】
【０００６】
本発明の一実施例が図1に示されている。図1のように、装置１は、カメラ本体（１０）、カメラ底面の三脚取り付け用に固定される固定部（１３）、ファインダーあるいは液晶画面（Ｍ）を反射して映しだすミラー（１１）および、固定部（１３）とミラー（１１）の相対的な位置関係を変化させるための支持部（１２）からなる。
【０００７】
固定部（１０）は、既存の三脚固定穴に適合できる形状を持つと汎用性を持ち都合がよいが、使用するカメラ機材の形状に適合した形状に設定し、任意の取り付け手段を用いてカメラに固定したり、単に汎用性を持たせるために平面状の板に両面テープやマジックテープ（登録商標）などを用いてカメラの平坦な面に固定したりと、固定部がカメラに堅固に固定されるようにされるならばどのような方法を選択することもまた可能である。また、カメラの一部を改造して適合させることも可能である。三脚固定穴に固定する場合はねじ穴によって支持部（１２）の位置が変化してしまうので、固定部（１３）のねじ部分と支持部（１２）の根元の間に回転し、位置決めをすることができるアダプタを追加すると都合が良い。アダプタには円形の固定部を軸にした回転可能に形成されたリング形状で、外周から内周にリングを貫くねじ穴を設けて、位置が決定されるとねじを締めることによって位置を固定するものなどが利用できる。また、固定部（１３）の下部に三脚を取りつける穴を設けると都合が良い。さらに、固定部（１３）は本体に固定されるだけではなく、本体が固定された三脚の足に固定するといった応用も可能である。
【０００８】
ミラー（１１）の形状は、正方形の小型の平面鏡に限られず、必要とされる距離から液晶画面に映る像が確認できるように、サイズ、材質、形状（円形、楕円形など任意）が決定され、像のサイズを調整するために平面鏡、凹面鏡、凸面鏡が任意に選択されることが可能である。
【０００９】
支持部（１２）は、ミラーに映されたファインダーあるいは液晶画面を撮影者が確認できるように、ミラーとカメラ本体の相対的な位置を変化できるようにして位置を固定できるものであれば都合が良い。具体的にはミラーと固定部に両端の接続されたフレキシブルな針金あるいは、一ないし複数の蝶番などのジョイント部により角度や方向の変えられる棒がある。この棒は伸縮可能であるとさらに都合が良い。
【００１０】
図2は本発明の第二の実施例を示す図である。図2（ａ）にはカメラ本体（２０）、液晶画面（Ｍ）、ミラー（２１）、支持脚（２２）、固定部（２３）、クッション（２４）が図示されている。図2（ａ）の装置は一般に市販されている小型のフレキシブルな脚をもつ三脚に本件発明を適用した例である。装置２は三脚穴に装置を固定する固定部（２３）と、固定部（２３）に一端を接続された４本の脚（２２）とを持ち、４本の脚の他端はミラーもしくはゴムなどで作られたクッションに接続されている（ただしクッションは省かれてもかまわない）。三脚穴に装置を固定した際にミラーをつけるべき足がどれになるかは不確定であるので、クッション（２４）とミラー（２１）とが可換となるように、脚（２２）の先端は図2（ｂ）で示したようにクッション（２４）およびミラー（２１）が取り付けられるような構造をしていると都合が良い。図において、クッション（２４）に設けられた穴とミラー（２１）の背面に付けられた接続部に設けられた穴が等しく、脚の一端に適合する形状、サイズをしている。そして、装置がカメラに固定された際に、適切な位置にある脚にミラーを取り付け、残りの脚にクッションを取りつける。最後に、ミラーの取り付けられた脚を液晶画面（Ｍ）が適切に反射される位置に固定し、残りの脚の位置をカメラが安定するように微調整する。上述の実施例ではクッションとミラーとを交換して利用する例を示したが、ミラーに接続用のクリップ等を装着し、単にミラーの位置あわせに都合の良い脚に、クリップ等の固定手段で固定するだけの構成でも良い。
【００１１】
図3は本発明の第三の実施例を示す図である。図3にはカメラ本体（３０）、液晶画面（Ｍ）、支持部（３２）、ミラー（３１）、および固定部（３３）が示されている。装置３において、固定部（３３）はカメラの撮像画面（液晶画面など）に近接するように配置され、固定部（３３）の画面と反対側に撮像画面に垂直な方向に回転可能で、かつそこに取り付けられたミラーの角度を変更可能な折り曲げ機構を有する支持部（３２）と支持部に接続されたミラー（３１）が配置されている。ミラーの角度を変更し、および支持部を回転させることにより、画面を上下左右から確認することができる。また、撮影者が撮像画像を確認する方向が一定の場合は支持部は単に折り曲げ機構を有するだけで回転機構を省いても良い。固定部は三脚穴を利用するもの、また、万力のように本体を挟み込むもの、画面の周囲に貼り付けるものなどが都合が良い。固定部（３３）と支持部（３２）の好例として、２重のリング構造があげられる。このリング構造において、二つのリングの接触面に互いのリングが適合するように凹凸が設けられ、それにより二つのリングが互いに離れないようになるとともに、互いのリングに対して回転自在となる。そしてこのリングの一方にカメラ本体に固定するための手段（マジックテープ（登録商標）など）を設け、他方にミラーと接続するための角度可変の接続手段（蝶番）を設けると都合が良い。
【００１２】
これらの３つの実施例の装置をカメラに固定し、撮影者は撮影に先立って、デジタルカメラの液晶画面等の撮像画面のミラーに反射されて映る像を確認しながら、ミラーの位置、および／または角度を調整してミラーの位置決めを行う。つづいて、そのミラーに映る像を確認しながら、カメラの角度を調節して適切なアングルで撮影を行う。
【００１３】
以上のような３つの実施例に基づいて本発明の趣旨を説明してきたが、当業者であれば本発明の精神に基づいて、特許請求の範囲に定められる範囲で修正や改良を行うことが可能なことは容易に理解できるだろう。また、本発明においてはデジタルカメラの液晶を例に取って説明してきたが、本発明のマルチアングルミラーが、デジタルカメラの液晶画面に限られず、カメラのファインダー、ビデオカメラの液晶画面、通常のパソコン用の液晶画面といった視野角に方向性をもつ画面を本来意図された方向とは別の方向から像を確認するために利用されることも当業者には容易に理解できるだろう。そしてこのような応用が本件発明の範囲に含まれることも明らかである。
【図面の簡単な説明】
【００１４】
【図１】本発明の第１の実施例を示す側面図である。
【図２】本発明の第２の実施例を示す側面図である。
【図３】本発明の第３の実施例を示す側面図である。
【符号の説明】
【００１５】
１，２，３装置
１０，２０，３０ カメラ
１１，２１，３１ ミラー
１２，２２，３２ 支持部
１３，２３，３３ 固定部
２４ クッション
Ｍ 液晶画面
【図１】
2011205698.tif 000003
【図２】
2011205698.tif 000004
【図３】
2011205698.tif 000005